(57)【要約】【課題】長期間に亘る番組情報を俯瞰しつつ所望とする番組情報を容易に見つけだすことが可能な番組表の表示を行う番組表の表示制御装置を提供する。【解決手段】情報取得部１５４は、制御情報入力部１５３により入力された制御情報に基づいて、付加情報が付加される番組を特定する番組特定情報と、番組特定情報で特定される各番組に関連する付加情報とを取得し、表示制御部１５２は、番組表画像に配置された番組枠のうち、情報取得部１５４により取得された番組特定情報により特定される番組が割り当てられた番組枠に対応付けて付加情報を付加して、付加情報を付加した番組表画像を表示装置１４に表示するように制御する。【選択図】  図２
2010041328.tif 000002
【特許請求の範囲】
【請求項１】
放送番組が放送される放送日を一座標軸として定義される２次元座標上に、複数の放送番組が割り当てられた番組枠が配置された番組表画像を記憶する番組表画像記憶部と、
上記番組表画像記憶部に記憶されている番組表画像を表示装置に表示する制御を行う表示制御部と、
上記番組表画像に付加する付加情報の取得を制御するための制御情報が入力される制御情報入力部と、
上記制御情報入力部により入力された制御情報に基づいて、上記付加情報が付加される番組を特定する番組特定情報と、上記番組特定情報で特定される各番組に関連する付加情報とを取得する情報取得部とを備え、
上記表示制御部は、上記番組表画像に配置された番組枠のうち、上記情報取得部により取得された番組特定情報により特定される番組が割り当てられた番組枠に対応付けて上記付加情報を付加して、上記付加情報を付加した番組表画像を上記表示装置に表示するように制御する番組表の表示制御装置。
【請求項２】
上記放送番組は、放送周波数又は番組種別に基づいた放送チャンネルに割り当てられて放送され、
上記番組表画像記憶部は、上記放送日を一座標軸とし、他方の座標軸を上記放送番組が放送される放送時刻又は上記放送チャンネルとして定義される２次元座標上に、複数の上記番組枠が配置された番組表画像を記憶する請求項１記載の番組表の表示制御装置。
【請求項３】
上記番組表画像に配置された各番組枠は、上記放送時刻と上記放送チャンネルとを座標軸として定義される二次元座標上に複数の放送番組が割り当てられた番組表からなる請求項２記載の番組表の表示制御装置。
【請求項４】
上記情報取得部は、上記番組特定情報として、上記付加情報が付加される番組の放送時刻を特定する情報を取得するとともに、上記付加情報として、少なくとも上記番組特定情報により特定される番組の存在を上記番組表画像上に示すための画像情報を取得し、
上記表示制御部は、上記番組表画像に配置された番組枠のうち、上記情報取得部により取得された番組特定情報により特定される放送番組が割り当てられた番組枠に、上記番組特定情報により特定される番組の存在を視認可能に上記番組表画像上に示すための画像情報を付加して、上記画像情報を付加した番組表画像を上記表示装置に表示するように制御する請求項３記載の番組表の表示制御装置。
【請求項５】
上記情報取得部は、上記制御情報入力部により入力された制御情報のうち、ユーザによって操作入力されて選択される制御情報に基づいて、上記付加情報が付加される番組を特定する番組特定情報と、上記番組特定情報で特定される各番組に関連する付加情報とを取得する請求項１記載の番組表の表示制御装置。
【請求項６】
上記放送番組は、当該放送番組に関する番組情報が含まれた放送信号により放送され、
上記情報取得部は、上記制御情報入力部により入力された制御情報に基づいて、上記放送信号に含まれた番組情報を抽出することにより、上記番組特定情報と、上記番組特定情報で特定される各番組に関連する付加情報とを取得する請求項１記載の番組表の表示制御装置。
【請求項７】
上記情報取得部は、上記制御情報入力部により入力された制御情報に基づいて、上記番組特定情報と上記番組特定情報で特定される各番組に関連する付加情報とを電気通信回線を介して取得する請求項１記載の番組表の表示制御装置。
【請求項８】
表示部と、
上記放送番組が放送される放送日を一座標軸として定義される２次元座標上に、複数の放送番組が割り当てられた番組枠が配置された番組表画像を記憶する番組表画像記憶部と、
上記番組表画像記憶部に記憶されている番組表画像を上記表示部に表示する制御を行う表示制御部と、
上記番組表画像に付加する付加情報の取得を制御するための制御情報が入力される制御情報入力部と、
上記制御情報入力部により入力された制御情報に基づいて、上記付加情報が付加される番組を特定する番組特定情報と、上記番組特定情報で特定される各番組に関連する付加情報とを取得する情報取得部とを備え、
上記表示制御部は、上記番組表画像に配置された番組枠のうち、上記情報取得部により取得された番組特定情報により特定される番組が割り当てられた番組枠に対応付けて、上記付加情報を付加して、上記付加情報を付加した番組表画像を上記表示部に表示するように制御する番組表の表示装置。
【請求項９】
上記放送番組が放送される放送日を一座標軸として定義される２次元座標上に、複数の放送番組が割り当てられた番組枠が配置された番組表画像を記憶する番組表画像記憶部に記憶されている番組表画像を表示装置に表示する制御を行う表示制御ステップと、
上記番組表画像に付加する付加情報の取得を制御するための制御情報が入力される制御情報入力ステップと、
上記制御情報入力ステップにより入力された制御情報に基づいて、上記付加情報が付加される番組を特定する番組特定情報と、上記番組特定情報で特定される各番組に関連する付加情報とを取得する情報取得ステップとを有し、
上記表示制御ステップでは、上記番組表画像に配置された番組枠のうち、上記情報取得ステップにより取得された番組特定情報により特定される番組が割り当てられた番組枠に対応付けて、上記付加情報を付加して、上記付加情報を付加した番組表画像を上記表示装置に表示するように制御する番組表の表示制御方法。
【発明の詳細な説明】
【技術分野】
【０００１】
本発明は、放送番組の放送予定が管理された番組表を表示装置に表示させる制御を行う番組表の表示制御装置、この表示制御装置が組み込まれた番組表の表示装置、及び、番組表の表示制御方法に関するものである。
【背景技術】
【０００２】
テレビジョン放送では通常、放送される番組の放送予定が予め決められている。特にデジタルテレビジョン放送では、その放送予定が電子プログラムガイドＥＰＧという形で放送信号に含まれて放送されている。
【０００３】
このような電子プログラムガイドを電子番組表として表示する従来の表示方法では、受信したＥＰＧを、放送時刻で定義される座標軸と、放送波が伝送される周波数で決まるチャンネルで定義されるチャンネル軸とを含む２次元のテーブル形式で番組表を表示することが一般的に行われている。
【０００４】
このような表示方法では、例えば数日先の放送予定からユーザが所望とする放送番組を探し出す場合、上述した２次元テーブルをスクロールさせる必要があり、効率よくユーザが所望とする番組を探し出すことができないという問題があった。
【０００５】
このような問題に対して、特許文献１には、チャンネル群タブ及び時間群タブを設けて複数枚の２次元マップを切り替えて表示することにより、画面のスクロール等の作業を必要とせず、少ない操作及び所要時間でユーザが所望とする番組のＥＰＧを表示できる表示装置が記載されている。
【０００６】
【特許文献１】特開２００３―３２５６８号公報
【発明の開示】
【発明が解決しようとする課題】
【０００７】
特許文献１に記載された表示方法では、一画面内で全ての番組情報を表示することを目的としているが、時間群タブやチャンネル群タブを用いているため、例えば数日間の番組情報全体を俯瞰するのには適していないため、所望とする番組を見つけだすための作業量及び時間を効率化することができない。
【０００８】
また、特許文献１に記載された表示方法では、時間群タブやチャンネル群タブを用いた操作をユーザが行うことを前提としているので、ユーザが所望とする番組のチャンネルや放送時間に関する情報を予め認識していないと、所望の番組に関する情報を見つけだすのにより手間がかかってしまった。
【０００９】
そこで、本発明は、このような実情に鑑みて提案されたものであり、ユーザが一画面で例えば数日間などの長期間に亘る番組情報を俯瞰しつつ所望とする番組情報を容易に見つけだすことが可能な番組表の表示を行う番組表の表示制御装置、番組表の表示装置、及び、番組表の表示制御方法を提供することを目的とする。
【課題を解決するための手段】
【００１０】
上述した課題を解決するための手段として、本発明に係る放送番組が放送される放送日を一座標軸として定義される２次元座標上に、複数の放送番組が割り当てられた番組枠が配置された番組表画像を記憶する番組表画像記憶部と、番組表画像記憶部に記憶されている番組表画像を表示装置に表示する制御を行う表示制御部と、番組表画像に付加する付加情報の取得を制御するための制御情報が入力される制御情報入力部と、制御情報入力部により入力された制御情報に基づいて、付加情報が付加される番組を特定する番組特定情報と、番組特定情報で特定される各番組に関連する付加情報とを取得する情報取得部とを備え、表示制御部は、番組表画像に配置された番組枠のうち、情報取得部により取得された番組特定情報により特定される番組が割り当てられた番組枠に対応付けて付加情報を付加して、付加情報を付加した番組表画像を表示装置に表示するように制御する。
【００１１】
また、本発明に係る番組表の表示装置は、表示部と、放送番組が放送される放送日を一座標軸として定義される２次元座標上に、複数の放送番組が割り当てられた番組枠が配置された番組表画像を記憶する番組表画像記憶部と、番組表画像記憶部に記憶されている番組表画像を表示部に表示する制御を行う表示制御部と、番組表画像に付加する付加情報の取得を制御するための制御情報が入力される制御情報入力部と、制御情報入力部により入力された制御情報に基づいて、付加情報が付加される番組を特定する番組特定情報と、番組特定情報で特定される各番組に関連する付加情報とを取得する情報取得部とを備え、表示制御部は、番組表画像に配置された番組枠のうち、情報取得部により取得された番組特定情報により特定される番組が割り当てられた番組枠に対応付けて、付加情報を付加して、付加情報を付加した番組表画像を表示部に表示するように制御する。
【００１２】
また、本発明に係る番組表の表示制御方法は、放送番組が放送される放送日を一座標軸として定義される２次元座標上に、複数の放送番組が割り当てられた番組枠が配置された番組表画像を記憶する番組表画像記憶部に記憶されている番組表画像を表示装置に表示する制御を行う表示制御ステップと、番組表画像に付加する付加情報の取得を制御するための制御情報が入力される制御情報入力ステップと、制御情報入力ステップにより入力された制御情報に基づいて、付加情報が付加される番組を特定する番組特定情報と、番組特定情報で特定される各番組に関連する付加情報とを取得する情報取得ステップとを有し、表示制御ステップでは、番組表画像に配置された番組枠のうち、情報取得ステップにより取得された番組特定情報により特定される番組が割り当てられた番組枠に対応付けて、付加情報を付加して、付加情報を付加した番組表画像を表示装置に表示するように制御する。
【発明の効果】
【００１３】
本発明は、放送日を一座標軸として定義される２次元座標上に、複数の放送番組が割り当てられた番組枠が配置された番組表画像を表示するので、ユーザが一画面で長期間に亘る番組情報を俯瞰することができる。そして、本発明は、例えば番組枠に割り当てられる全番組の番組情報を提供する代わりに、番組特定情報により特定される番組が割り当てられた番組枠に対応付けて付加情報を付加して表示装置に表示するように制御するので、閲覧性を確保しつつユーザが所望とする番組を検索する検索作業及び検索時間を軽減することができる。このようにして、本発明は、ユーザが一画面で例えば数日間などの長期間に亘る番組情報を俯瞰しつつ所望とする番組情報を容易に見つけだすことが可能な番組表の表示を行うことができる。
【発明を実施するための最良の形態】
【００１４】
以下、本発明を実施するための最良の形態について、図面を参照しながら詳細に説明する。
【００１５】
本発明が適用された番組表の表示制御装置は、放送番組の放送予定が管理された番組表を表示させる制御を行う装置であって、例えば、図１に示すようなテレビジョン受像機１に組み込まれる。以下では、図１に示すようなテレビジョン受像機１を用いて本発明を実施するための形態について説明する。
【００１６】
テレビジョン受像機１は、アンテナにより受信された地上放送波や衛星放送波によって放送されている放送番組を表示する表示装置であって、具体的には次のような構成を有している。すなわち、テレビジョン受像機１は、放送信号を復調するチューナ１１と、復調された放送信号に復号処理を施す復号部１２と、復号処理された画像信号に画像処理を施す画像処理部１３と、画像処理が施された画像信号を表示する表示部１４と、これら各処理部を制御する制御部１５とを備える。また、テレビジョン受像機１は、ユーザからの操作入力を受け付ける操作入力部１６と、インターネットなどの電気通信回線を介した通信を行う通信部１７とを備える。
【００１７】
チューナ１１は、アンテナにより受信された地上放送波や衛星放送波から、制御部１５からの制御命令に従って選局を行い、特定の物理チャンネルで放送されている放送信号を抽出するための復調処理を施す。そして、チューナ１１は、復調処理された放送信号を復号部１２に供給する。
【００１８】
復号部１２は、チューナ１１から供給される放送信号に対して復号処理を施すことによって、画像信号と放送データとに分離する。ここで、復号部１２によって分離される放送データには、当該放送信号により放送される放送番組に関する番組情報が含まれている。番組情報は、例えば放送時間、番組タイトル、番組種別、出演者、番組内容が記述された情報である。そして、復号部１２は、画像信号を画像処理部１３に供給し、放送データを制御部１５に供給する。
【００１９】
画像処理部１３は、復号部１２から供給される画像信号を、表示部１４の表示形式に応じた画像信号に変換して、表示部１４に供給する。また、画像処理部１３は、後述する制御部１５から供給される番組表画像を、表示部１４の表示形式に応じた画像信号に変換して、表示部１４に供給する。
【００２０】
表示部１４は、画像処理部１３から供給される画像信号をユーザに視認可能に表示する。
【００２１】
制御部１５は、演算処理プロセッサとメモリとから構成されるマイクロコンピュータであって、リモートコントロールなどの操作入力部１６から供給されるユーザからの操作命令に応じて、各部の動作を制御する。例えば、制御部１５は、ユーザによって選局される放送局で放送されている放送番組を表示部１４に表示するように上述した各部の動作を制御する。
【００２２】
操作入力部１６は、ユーザがテレビジョン受像機１の操作を行うためのユーザインタフェースであって、具体的には遠隔操作可能なリモートコントロールである。例えば、操作入力部１６であるリモートコントロールは、放送チャンネルを選局するための選局キー、後述する番組表の表示操作に供する赤、青、緑、黄などのカラーキーなどによって構成されている。
【００２３】
通信部１７は、制御部１５による制御命令に従って、インターネットなどの相互に通信可能な電気通信回線を介した通信を行う。なお、インターネット回線に限定されず専用回線を介して接続されたサーバとの間で通信を行うようにしてもよい。
【００２４】
以上のような構成からなるテレビジョン受像機１では、ユーザが一画面で長期間に亘る番組情報を俯瞰しつつ所望とする番組情報を容易に見つけだすことが可能な番組表の表示を行うため、制御部１５が図２に示すような構成を備える。
【００２５】
すなわち、制御部１５は、図２に示すように、２次元座標上に番組枠が配置された番組表画像を記憶している番組表画像記憶部１５１と、番組表画像を表示部１４に表示する制御を行う表示制御部１５２とを備える。また、制御部１５は、番組表画像に付加する付加情報の取得を制御するための制御情報であるウィジェットを取得するためのウィジェット入力部１５３と、ウィジェットに基づいて放送番組に係る情報を取得する情報取得部１５４とを備える。また、制御部１５は、放送信号に含まれる放送データを記憶する放送データ記憶部１５５とを備える。
【００２６】
番組表画像記憶部１５１は、放送番組が放送される放送日を一座標軸として定義される２次元座標上に、複数の放送番組が割り当てられた番組枠が配置された番組表画像を記憶する。具体的に、この番組表画像は、テレビジョン受像機１に予め組み込まれる画像データであって、例えば操作入力部１６により番組表を表示する旨の操作命令が入力されたときに表示部１４の画面上に表示される画像である。
【００２７】
また、この番組表画像は、上述したように放送日を一座標軸とし、他方の座標軸を放送番組が放送される放送時刻として定義される２次元座標軸上に、複数の番組枠が配置された画像である。
【００２８】
なお、他方の座標軸としては、放送時刻に限定されず、放送波の放送周波数を示す物理チャンネル、又は、スポーツやドラマなどの番組種別を示す論理チャンネルに基づいて、各放送番組が割り当てられる放送チャンネルを用いて定義するようにしてもよい。また、論理チャンネルとしては、上述した番組種別の他、特定のユーザがお気に入りの物理チャンネル、ジャンルなどを用いてもよい。
【００２９】
表示制御部１５２は、番組表画像記憶部１５１に記憶されている番組表画像を表示部１４に表示するための制御を行う。表示制御部１５２は、番組表画像記憶部１５１から番組表画像を読み出し、読み出した番組表画像に後述する情報取得部１５４により取得された情報を付加し、情報を付加した番組表画像の画像データを画像処理部１３に供給する。
【００３０】
ウィジェット入力部１５３は、番組表画像記憶部１５１に記憶されている番組表画像に付加する付加情報の取得を制御するための制御情報であるウィジットが入力される。具体的に、ウィジェット入力部１５３は、図３に示すように、操作入力部１６による操作命令に従って、通信部１７を介して外部のウィジェットサーバ２にアクセスして所望とするウィジェットをダウンロードする（ステップＳＴ１）ことによって、ウィジェットが入力される。そして、ウィジェット入力部１５３は、上述するようにウィジェットサーバ２からダウンロードすることによって入力されたウィジェットを情報取得部１５４に供給する。
【００３１】
情報取得部１５４は、ウィジェット入力部１５３により入力されたウィジェットに記述される制御情報に基づいて、付加情報が付加される放送番組を特定する番組特定情報である番組リストを取得する。具体的に、情報取得部１５４は、図３に示すように、操作入力部１６による操作命令に従ってウィジェットを実行する（ステップＳＴ２）と、通信部１７を介して外部の番組情報サーバ３にアクセスして所定の番組リストを取得する。情報取得部１５４は、任意のウィジェットに基づいて種々の番組リストを取得するが、具体的には次のような番組リストを取得することができる。例えば、情報取得部１５４は、放送局が番組宣伝として勧める番組リストを取得することができる。また、情報取得部１５４は、ネットワーク上で収集された視聴履歴からのランキングを示す番組リストを取得することができる。さらに、情報取得部１５４は、特定の友人と共有する番組リスト、有名人がお勧めする番組リストなどを取得することができる。なお、ウィジェットは、ネットワーク動画配信サービスなどで保持される好みのコンテンツ示す嗜好リストに関連する放送番組リストをコンテンツサーバから取得するような制御を行うものであってもよい。
【００３２】
以上のようにして番組リストを取得した情報取得部１５４は、操作命令により実行されたウィジェットに従って、上述した番組リストで示される各番組に関連するコンテンツデータを、コンテンツサーバ４にアクセスすることによって取得する。ここで、コンテンツデータとは、例えば番組に関連付けられたシーンなどを示す画像情報や、番組の内容を示すテキストデータなどである。
【００３３】
また、情報取得部１５４は、コンテンツサーバから付加情報を取得する場合に限定されるものでなく、ウィジェットに従って、放送データ記憶部１５５に記憶されている放送データをコンテンツデータとして抽出するようにしてもよい。すなわち、情報取得部１５４は、ウィジェットに従って、コンテンツサーバ及び放送データ記憶部１５５のうち少なくとも何れか一方の情報を付加情報として取得する。
【００３４】
以上のようにして、情報取得部１５４は、番組リストとコンテンツデータとを取得して、取得したデータを表示制御部１５２に供給する（ステップＳＴ５）。そして、ステップＳＴ６において、番組リストとコンテンツデータとは、以下の表示例で示すように、表示制御部１５２による表示制御によって番組表画像に付加されて表示部１４に表示される。
【００３５】
また、情報取得部１５４は、ウィジェット入力部１５３により複数のウィジェットが入力された場合、これらのウィジェットのうち、ユーザによって操作入力されて選択されるウィジェットのみに基づいて、番組リストと、コンテンツ情報とを取得するようにしてもよい。このようにして、制御部１５では、予め複数のウィジェットをダウンロードしておき、ユーザの所望とする情報を取得するウィジェットのみに従って付加情報の取得を行うことによって、通信処理や表示制御処理に係る処理量を軽減することができる。
【００３６】
以上のような構成からなる制御部１５は、表示制御部１５２が、番組表画像に配置されている番組枠のうち、番組リストにより特定される番組が割り当てられた番組枠に対応付けてコンテンツデータを付加して、付加処理を施した番組表画像を表示部１４に表示するように制御する。
【００３７】
次に、上述した付加処理が施されてユーザによって視認可能に表示される番組表画像の表示例を参照して、制御部１５の動作について、さらに詳述する。
【００３８】
まず、図４、及び、図５に示すような第１の表示例を参照して、制御部１５の動作について説明する。
【００３９】
第１の表示例において、表示制御部１５２は、番組表画像記憶部１５１に記憶されている番組表画像を読み出して背景画像として表示する。ここで、読み出される番組表画像は、例えば８日間分の放送番組の放送予定を表示するため、図４に示すように、Ｘ軸を１日刻み合計８日の放送日として定義し、Ｙ軸を４時間刻み合計２４時間の放送時間として定義される２次元平面上に番組枠が配置されている。また、この２次元平面上で配置された各番組枠は、それぞれ、Ｘ軸を物理チャンネルとし、Ｙ軸を放送時刻として定義される二次元座標上に複数の放送番組が割り当てられ、後述するユーザ操作に応じて拡大表示される番組表からなる。
【００４０】
以上のような番組表画像に対して、表示制御部１５２は、次のような画像情報を付加する。表示制御部１５２は、現在時刻を示す時刻情報５１を付加する。また、表示制御部１５２は、情報取得部１５４から供給される番組リストで示される放送番組が割り当てられる各番組枠に、番組リストにより特定される番組の存在を視認可能に表示する画像情報として、例えば星形のマークを付加する。ここで、マーク５２とマーク５３のように星形のマークの表示形式を複数種設けて変えることで、番組リスト内の番組の種別を優先度や重要度などの基準で更に分類して視認可能に表示することができる。また、表示制御部１５２は、番組リストを構成する各番組に関するコンテンツ情報５４を、例えば図４に示すように画面右部に表示する。ここで、コンテンツ情報５４には、番組リストで示される各番組に関するテキストデータとともに、ウィジェットの種別を表示するようにしてもよい。
【００４１】
また、表示制御部１５２は、操作入力部１６による操作入力によって、画面上を移動可能であって、番組表画像に配置された任意の番組枠を選択するためのカーソル５５を表示する。表示制御部１５２は、カーソル５５がユーザ操作によって移動されることにより、ユーザが所望とする日時の番組表に移動させることができる。
【００４２】
また、カーソル５５で選択される番組枠において、番組リストで特定される番組が配置されている場合、表示制御部１５２は、図５に示すように、この番組に付加されたコンテンツ情報５６をカーソル５５の移動に連動してポップアップ表示する。このようにして、ユーザは、ウィジェットに従って抽出された放送番組に対応付けたれたマークを手がかりに、長期間に亘る番組表の一覧を俯瞰しつつ、カーソル５５により特定される番組に関する情報を容易に確認することができる。このようにして、表示制御部１５２は、どのような番組がカーソル５５で示される放送時間帯に存在するかをユーザにとって分かりやすい表示形態で提示することができる。なお、ポップアップ表示される画像情報としては、例えば番組のタイトル「ＸＸＸＸ」、放送開始時刻「１２：００」、放送終了時刻「１３：００」、物理チャンネル「３ｃｈ」などである。また、表示制御部１５２は、ユーザ操作に応じて、約１週間に亘る番組表表示から、カーソル５５で選択される放送時間帯に割り当てられている複数の放送番組を一覧表示するように画面を遷移させる。例えば遷移後の画像として、表示制御部１５２は、Ｘ軸を物理チャンネルとし、Ｙ軸を放送時刻とした二次元平面上に、カーソル５５で選択された放送時間帯に割り当てられている全ての放送番組に関する情報を一覧表示する。
【００４３】
また、制御部１５では、情報取得部１５４が複数のウィジェットを実行することもでき、例えば２つのウィジェットを実行して２つの番組リストを取得するようにしてもよい。この場合、表示制御部１５２は、図５に示すように、ウィジェットの種別に分けて、例えば一の番組リストで示される番組の座標位置を星形のマークのアイコンで示し、他の番組リストで示される番組の座標位置をハート型のマークのアイコンで示すようにしてもよい。このようにして、表示制御部１５２は、異なるマークのアイコンを用いて複数の番組リストに対応する画像情報をユーザに視認可能に表示することができる。
【００４４】
次に、図６及び図７に示すような第２の表示例を参照して、制御部１５の動作について説明する。第２の表示例においては、表示制御部１５２は、上述した第１の表示例と同様に、放送日と放送時刻とをそれぞれ座標軸とした２次元平面上に番組枠が配置された番組表画像を番組表画像記憶部１５１から読み出して背景画像として表示する。
【００４５】
第２の表示例では、表示制御部１５２は、第１の表示例と同様に番組リストで特定される放送番組の座標位置を特定するアイコンを表示するのに加えて、各アイコンに対応する放送番組に関する画像データをサムネイル表示する。ここで、各アイコンに対応する放送番組に関する画像データは、上述したコンテンツサーバから取得されるコンテンツデータである。
【００４６】
また、表示制御部１５２は、ユーザ操作に応じて、カーソル６１が画面上にサムネイル表示されている各画像データを移動するように表示制御する。そして、表示制御部１５２は、ユーザ操作によって移動されるカーソル６１が示している画像データに対応する付加情報を、例えば図６の中央部に表示されるコンテンツ情報６２で詳しく表示する。ここで、図６の中央部に表示されるコンテンツ情報６２では、画像データ６２ａと、番組名（例えば「ドラマＡ」。）と、出演者（例えば、「女優Ａ、俳優Ａ、女優Ｂ」）と、番組内容とを、カーソル６１で選択されるサムネイル表示された画像データに対応する番組に対応付けてポップアップ表示する。
【００４７】
また、表示制御部１５２は、図６の下部に配置されている機能表示部６３に従ってリモートコントロールの黄色カラーキーがユーザ操作により選択されると、約１週間に亘る番組表表示から、カーソル６１で選択される放送時間帯に割り当てられている複数の放送番組を一覧表示するように画面を遷移させる。例えば遷移後の画像として、表示制御部１５２は、Ｘ軸を物理チャンネルとし、Ｙ軸を放送時刻とした二次元平面上に、カーソル６１で選択された放送時間帯に割り当てられている全ての放送番組に関する情報を一覧表示する。
【００４８】
また、図６中の画像領域６４では、複数のサムネイル表示された画像データ６４ａ、６４ｂが上下に重なっているため、ユーザにとって見づらい表示状態となっている。そこで、表示制御部１５２は、図６に示す表示例の変形例として、図７に示すように、画像領域６４に位置する何れか一方の画像データ６４ａ、６４ｂがカーソル６１により選択された場合、この選択動作に連動して、図７中央部の画像領域６５において重複表示された画像データ６４ａ、６４ｂに対応する画像データ６５ａ、６５ｂを並列表示する。そして、表示制御部１５２は、画像領域６５において並列表示されている画像データ６５ａ、６５ｂを更にカーソル６５ｃによって選択可能に表示することで、カーソル６５ｃで選択された画像データ６５ｂに対応する付加情報を、例えば画像領域６５下部に配置されたコンテンツ情報６５ｄで詳しく表示する。このようにして、表示制御部１５２は、複数のサムネイル表示された画像データが重なって、ユーザにとって見づらい表示状態を解消することができる。
【００４９】
さらに、表示制御部１５２は、図７の右端部に配置されているコンテンツ情報６６に並んだ番組情報の中から、カーソル６６ａによる選択動作に連動して、この番組情報を画面中央部に拡大してポップアップ表示するように表示を制御するようにしてもよい。
【００５０】
次に、図８及び図９に示すような第３の表示例を参照して、制御部１５の動作について説明する。第３の表示例においては、表示制御部１５２は、上述した第１、第２の表示例と同様に、放送日と放送時刻とをそれぞれ座標軸とした２次元平面上に番組枠が配置された番組表画像を番組表画像記憶部１５１から読み出して背景画像として表示する。
【００５１】
また、第３の表示例では、表示制御部１５２は、第１、第２の表示例と同様に番組リストで特定される放送番組の座標位置を特定するアイコンを表示する。
【００５２】
また、表示制御部１５２は、ユーザ操作に応じて、番組表画像に配置された任意の番組枠を選択するためのカーソル７１を表示する。そして、表示制御部１５２は、カーソル７１の移動に連動して、カーソル７１で選択された放送時間帯に含まれる番組に関連するコンテンツ情報７２を、例えば図８の下部において表示する。ここで、図８の下部において表示されるコンテンツ情報７２は、放送データ記憶部１５５に記憶されている放送波から得られる番組情報であって、例えば放送チャンネル、放送開始時刻、番組名などから構成される。また、コンテンツ情報７２を構成する各番組情報は、例えば物理チャンネルに対応付けられて並べられる。表示制御部１５２は、コンテンツ情報７２で構成される各番組情報を特に番組種別に応じて色分けすることで、所望とする番組をユーザにとって見つけやすい操作環境を提供することができる。
【００５３】
このようにして放送波から得られる放送データのみを用いてコンテンツ情報をユーザに提供するようにしてもよいが、第１、第２の表示例のようにコンテンツサーバから取得されたコンテンツデータを、例えば図９の表示例のようにサムネイル表示することもできる。具体的に、表示制御部１５２は、図９に示すように、カーソル７１で選択された放送時間帯に含まれる番組に関連する画像データから構成されるコンテンツ情報７３を例えば図９の下部において表示する。また、コンテンツ情報７３を構成する各番組に関連する画像データは、例えば物理チャンネルに対応付けられて並べられる。
【００５４】
また、表示制御部１５２は、コンテンツ情報７２、７３を構成する放送チャンネルに対応して並んだ各番組情報を、例えば機能表示部７４−７７に従って、リモートコントローラに設けられているカラーキーをユーザが操作により、頁送りのようにサムネイル表示される番組情報の並びをスクロールして表示を切り替えることができる。すなわち、機能表示部７４に従って青色のカラーキーがユーザ操作により選択されると、表示制御部１５２は、コンテンツ情報７２、７３を構成する放送チャンネルに対応して並んだ各番組情報を左方向へスクロールする。機能表示部７５に従って赤色のカラーキーがユーザ操作により選択されると、表示制御部１５２は、コンテンツ情報７２、７３を構成する放送チャンネルに対応して並んだ各番組情報を右方向へスクロールする。機能表示部７６に従って緑色のカラーキーがユーザ操作により選択されると、表示制御部１５２は、放送チャンネルの選局を行う。機能表示部７７に従って黄色のカラーキーがユーザ操作により選択されると、表示制御部１５２は、約１週間に亘る番組表表示から、カーソル７１で選択される放送時間帯に割り当てられている複数の放送番組を一覧表示するように画面を遷移させる。
【００５５】
以上のような構成を備える制御部１５では、表示制御部１５２が、放送日を一座標軸として定義される２次元座標上に、複数の放送番組が割り当てられた番組枠が配置された番組表画像を表示するので、ユーザが一画面で長期間に亘る番組情報を俯瞰することができる。そして、表示制御部１５２は、例えば番組枠に割り当てられる全番組の番組情報を提供する代わりに、番組特定情報により特定される番組が割り当てられた番組枠に対応付けて付加情報を付加して表示装置に表示するように制御するので、閲覧性を確保しつつユーザが所望とする番組を検索する検索作業及び検索時間を軽減することができる。このようにして、表示制御部１５２は、ユーザが一画面で例えば数日間などの長期間に亘る番組情報を俯瞰しつつ所望とする番組情報を容易に見つけだすことが可能な番組表の表示を行うことができる。
【００５６】
また、制御部１５では、表示制御部１５２が、番組表画像記憶部１５１に記憶されている番組表画像を背景画像として、ウィジェット入力部１５３により入力されるウィジェットに応じて、上述した第１から第３の表示例のように、番組表の表示内容及び操作機能を柔軟かつ容易に拡張することができる。換言すれば、制御部１５では、例えば、予め番組表画像上に番組のタイトルなどを表示するための画像領域を設けることなく、外部から取得されるウィジェットで示される制御情報に応じて種々の機能を拡張することができる。
【００５７】
また、制御部１５では、ウィジェットで実現される機能の応用例として、例えば番組表の表示制御と連動して、番組検索結果画面の表示制御を行うことができる。このような検索機能は次のようにして実現される。まず、制御部１５では、操作入力部１６により番組に係るキーワードなどの検索条件が入力されると、情報取得部１５４が、放送データ記憶部１５５又はコンテンツサーバから、この検索条件に基づいて番組情報を検索して、番組リストとコンテンツデータを取得する。そして、制御部１５では、情報取得部１５４が検索処理によって取得した番組リスト及びコンテンツデータを、表示制御部１５２が、番組表画像上の各番組枠に対応付けて表示する。
【００５８】
このような検索処理に連動した番組表画像の表示制御を行うことによって、制御部１５では、少なくとも放送日が一座標軸として定義された番組枠に対応付けて検索結果を示すことができる。よって、制御部１５は、単に番組情報をリスト上に表示するよりも検索結果を数日間に亘ってユーザが俯瞰可能に表示することができ、結果として検索結果に対応する番組をユーザが容易に認識することができる。
【００５９】
また、第２の応用例として、制御部１５は、テレビジョン受像機１に接続されたハードディスクドライブなどの録画機器によって録画されたコンテンツに関する情報を、過去の放送時刻を示す番組表画像に対応付けて表示するようにしてもよい。具体的に、制御部１５では、表示制御部１５２が、録画されたコンテンツに関する過去の録画時刻を、番組表画像に配置される番組枠に対応付けて表示するように制御する。例えば、表示制御部１５２は、録画機器に記録されている画像データを番組枠に対応付けてサムネイル表示したり、ウィジェットを介して取得したコンテンツデータを番組枠に対応付けて表示する。特に、ユーザの嗜好に応じて放送番組の録画を行う機能により録画機器で録画されたコンテンツの画像情報を番組表画像に対応付けてサムネイル表示ことにより、ユーザは、ユーザが意図しないで録画された番組を、番組表を俯瞰しつつ容易に見つけることができる。
【００６０】
このような番組表画像の表示制御を行うことによって、制御部１５では、少なくとも放送日が一座標軸として定義された番組枠に対応付けて検索結果を示すことができる。よって、制御部１５は、単に番組情報をリスト上に表示するよりも検索結果を数日間に亘ってユーザが俯瞰可能に表示することができ、結果として録画機器に記録されているコンテンツを、過去の放送時刻に基づいて容易に見つけだせる操作環境をユーザに提供することができる。
【００６１】
なお、本発明は、以下の実施形態のみに限定されるものではなく、本発明の要旨を逸脱しない範囲内において種々の変更が可能であることは勿論である。
【図面の簡単な説明】
【００６２】
【図１】本発明が適用された表示制御装置が組み込まれたテレビジョン受像機の構成を示すブロック図である。
【図２】番組表画像を表示するための制御を行う構成を示すブロック図である。
【図３】制御部に係る番組表画像の表示制御に係る処理工程を模式的に説明するための図である。
【図４】番組表画像に係る第１の表示例を示す図である。
【図５】番組表画像に係る第１の表示例を示す図である。
【図６】番組表画像に係る第２の表示例を示す図である。
【図７】番組表画像に係る第２の表示例を示す図である。
【図８】番組表画像に係る第３の表示例を示す図である。
【図９】番組表画像に係る第３の表示例を示す図である。
【符号の説明】
【００６３】
１  テレビジョン受像機、２  ウィジェットサーバ、３  番組情報サーバ、４  コンテンツサーバ、１１  チューナ、１２  復号部、１３  画像処理部、１４  表示部、１５  制御部、１６  操作入力部、１７  通信部、５１  時刻情報、５２、５３  マーク、５４、５６、６２、６５ｄ、６６、７２、７３  コンテンツ情報、５５、６１、６５ｃ、６６ａ、７１  カーソル、６２ａ、６４ａ、６５ａ、６５ｂ  画像データ、６３、７４、７５、７６、７７  機能表示部、６４、６５  画像領域、１５１  番組表画像記憶部、１５２  表示制御部、１５３  ウィジェット入力部、１５４  情報取得部、１５５  放送データ記憶部
【図１】
2010041328.tif 000003
【図２】
2010041328.tif 000004
【図３】
2010041328.tif 000005
【図４】
2010041328.tif 000006
【図５】
2010041328.tif 000007
【図６】
2010041328.tif 000008
【図７】
2010041328.tif 000009
【図８】
2010041328.tif 000010
【図９】
2010041328.tif 000011